(57)【要約】  放送情報と並行して伝送されるメタデータをインターネット利用可能性とは無関係にアクセスできるものとする。したがって、メタデータリンク情報により指示されたインターネットアドレスにあるデータをダウンロードし、格納することが提案される。格納は記録と並行して行われ、一般には同一のメディア、すなわち、ＤＶＲ、ハードディスクなどに対して行われる。記録されたデータを再生する際には、指示されたすべてのインターネットページを含む完全なデータにアクセスすることができる。
2005510974.tif 000002
【特許請求の範囲】
【請求項１】
有利にはオーディオデータ及び／又はビデオデータであるユーザデータとデータソースを指すリンク情報を含んだ付加的情報とを含む放送データを処理するための装置であって、
前記放送データを放送ソースから受信し、補助データを前記データソースから受信するための手段と、
前記ユーザデータを格納するための記憶手段とを有する形式の装置において、
前記記憶手段が前記補助データを前記ユーザデータとともに格納することができるようにしたことを特徴とする、放送データを処理するための装置。
【請求項２】
前記データソースは、インターネットウェブ、イントラネット、内部若しくは外部メモリ装置、及び／又は、放送チャネル若しく前記放送ソースのような伝送手段である、請求項１記載の装置。
【請求項３】
前記記憶手段はディジタルビデオレコーダ又はハードディスクである、請求項１又は２記載の装置。
【請求項４】
前記ユーザデータはメタデータリンクを含んでおり、該メタデータリンクは、局所的に格納された補助データを指すように前記記憶手段によって調整することができる、請求項１から３のいずれか１項記載の装置。
【請求項５】
補助データは少なくとも第２レベル補助データを指すリンク情報を含んでおり、前記記憶手段は前記第２レベル補助データを格納することもできる、請求項１から４のいずれか１項記載の装置。
【請求項６】
前記補助データ及び前記第２レベル補助データを前記記憶手段に階層的に格納するための制御手段をさらに有する、請求項５記載の装置。
【請求項７】
ユーザデータ、補助データ、及び／又は第２レベル補助データを前記記憶手段から検索する検索手段をさらに有する、請求項１から６のいずれか１項記載の装置。
【請求項８】
前記ユーザデータ、前記補助データ、及び／又は前記第２レベル補助データを編集するための編集手段をさらに有する、請求項１から７のいずれか１項記載の装置。
【請求項９】
前記編集手段は更なるリンク情報を付け加えることができる、請求項８記載の装置。
【請求項１０】
格納が重複するのを防ぐために、受信中に前記放送データを分析する分析手段をさらに有する、請求項１から９のいずれか１項記載の装置。
【請求項１１】
有利にはオーディオデータ及び／又はビデオデータであるユーザデータとデータソースを指すリンク情報を含んだ付加的情報とを含む放送データを処理するための方法であって、
前記放送データを放送ソースから受信し、補助データを前記データソースから受信し、  前記ユーザデータを格納するようにした方法において、
前記補助データを前記ユーザデータとともに格納するようにしたことを特徴とする、放送データを処理するための方法。
【請求項１２】
前記データソースは、インターネットウェブ、イントラネット、内部若しくは外部メモリ装置、及び／又は、放送チャネル若しく前記放送ソースのような伝送手段である、請求項１記載の方法。
【請求項１３】
局所的に格納された補助データを指すように、前記ユーザデータに含まれているメタデータリンクを調整する、請求項１１又は１２記載の方法。
【請求項１４】
前記補助データは少なくとも第２レベル補助データを指すリンク情報を含んでおり、
前記第２レベル補助データは前記ユーザデータ及び補助データとともに格納される、請求項１１から１３のいずれか１項記載の方法。
【請求項１５】
補助データと第２レベル補助データを所定の制御情報に従って階層的に格納する、請求項１４記載の方法。
【請求項１６】
前記ユーザデータ、補助データ、及び／又は第２レベル補助データを記憶手段から個別に検索する、請求項１０から１５のいずれか１項記載の方法。
【請求項１７】
前記ユーザデータ、補助データ、及び／又は第２レベル補助データを編集する、請求項１０から１６のいずれか１項記載の方法。
【請求項１８】
前記編集は更なるリンク情報の付加を含む、請求項１７記載の方法。
【請求項１９】
格納が重複するのを防ぐために、受信中に前記放送データの内容を分析する、請求項１０から１８のいずれか１項記載の方法。
【発明の詳細な説明】
【技術分野】
【０００１】
本発明は、有利にはオーディオデータ及び／又はビデオデータであるユーザデータとデータソースを指すリンク情報を含んだ付加的情報とを含む放送データを処理するための方法及び装置に関するものであり、前記放送データを放送ソースから受信し、補助データを前記データソースから受信するための手段と、前記ユーザデータを格納するための記憶手段とを有する。
背景
今日、益々多くの放送サービスが、テレビやラジオのような基本的情報の他に、付加的情報（メタデータ）の送信を放送チャネル上で提供するようになっている。過去には、この種の付加的情報は放送信号（例えばテレテキスト）内に完全に埋め込まれており、特別な復号装置において使用可能なものであった。そのうちに、付加的情報の形が変化し、同じチャネル上で又は同じサービスにおいてさえ、すべてのデータが使用可能という訳ではなくなっている。また、益々多くの放送サービスが、代わりにインターネットアドレスへの情報リンクを提供するようになっている。独立した又は組み込まれたインターネットブラウザ装置は、インターネットアドレスを使用して、リンクにより参照された情報をダウンロードし、表示することができる。
【０００２】
放送サービスが従来のように例えばＤＶＲに記録される場合、この記録は放送サービス内で利用可能なデータしか含んでおらず、インターネットコンテンツのような、参照されているだけで放送サービス内には存在していないこれらの付加的な情報は含んでいない。原則的に、インターネットアドレスリンクは、リンクを辿って記録された情報を検索し、再生時にデータをダウンロードするときに使用することのできるものである。この解決手段の欠点は、長い期間が経過した後に記録を再生する場合にインターネットアドレスの有効性が失われることにある。インターネットアドレスの内容が変更されたか又はもはや有効でない場合、元の情報は失われ、リンク情報は無価値となる。
【０００３】
この点にかんがみて、本発明の課題は、放送データのリンク情報により指示された付加的情報の検索能力を改善する装置及び方法を提供することである。
発明
したがって、本発明は、有利にはオーディオデータ及び／又はビデオデータであるユーザデータとデータソースを指すリンク情報を含んだ付加的情報とを含む放送データを処理するための装置であって、前記放送データを放送ソースから受信し、補助データを前記データソースから受信するための手段と、前記ユーザデータを格納するための記憶手段とを有しており、前記記憶手段が前記補助データを前記ユーザデータとともに格納することができるようにした装置を提供する。
【０００４】
さらに、本発明は、有利にはオーディオデータ及び／又はビデオデータであるユーザデータとデータソースを指すリンク情報を含んだ付加的情報とを含む放送データを処理するための方法であって、前記放送データを放送ソースから受信し、補助データを前記データソースから受信し、前記ユーザデータを格納するようにした方法において、前記補助データを前記ユーザデータとともに格納するようにした方法を提供する。
【０００５】
このようにして、放送情報によって指示されたインターネットアドレス上に存在するデータをダウンロードし、格納することが可能となる。格納は同一のメディア（例えばＤＶＲ、ハードディスクなど）に対して行われる。記録物を再生することにより、指示されたすべてのインターネットページを含む完全なデータにアクセスすることが可能となる。検索はサービスの利用可能性とは無関係となる。すなわち、検索はオフラインでも利用可能である。
【０００６】
さらに、インターネットアドレスコンテンツの格納は、最初のインターネットアドレスコンテンツにより指示された更なるインターネットアドレスコンテンツを付加的に格納することにより（階層的格納）、ユーザの選好に合わせることができる。これはユーザにより選ばれた格納の深さに達するまで反復的に行うようにしてもよい。
【０００７】
ディスク上に格納されたインターネットアドレスコンテンツは、放送情報から独立して検索することができる。
【０００８】
編集プロセスにより、付加的データ及び基本データの中に更なるリンクを付け加えることができるようになる。付け加えられたリンクは、任意の格納されたインターネットアドレスコンテンツ間の関係、又は任意の放送情報間の関係のみを確立するようにしてもよい。
【０００９】
インターネットアドレスのローディング及び格納の最中の特別な分析により、既に格納されている情報を検出し、２回目には格納するのではなくスキップするようにしてもよい。これは重複を避けるために行ってもよい。分析は古くなったインターネットアドレスコンテンツのアップデートも可能にする。
図面
本発明の実施例は図面に示されており、以下の記述においてより詳細に説明される。図面は放送データの原理的なデータ構造を示している。
実施例
ディジタル放送の導入に伴って、電子番組ガイドや以下でメタデータと呼ばれる他の付加的情報のような益々多くの拡張サービスが放送されるようになっている。「メタデータ」は膨大な数の異なる種類のデータに対して使用される用語である。情報リソースを管理するメタデータもあれば、システムの技術的機能ならびに情報リソースの使用のレベル及びタイプを記述することなどを目的とするメタデータもある。メタデータのソース及び特性も同様に非常に多様である。そのうえ、メタデータはディジタルでなくてもよい。
【００１０】
これらのメタデータはもはや伝送される放送チャネルに完全に埋め込まれるのではなく、インターネットアドレスやウェブページ（図参照）のような異なるサービスへのリンク情報を包含している。放送リンク情報（メタデータリンク）は、特別なブラウザ装置による参照されたインターネットメタデータの検索及び表示に使用される。インターネットは放送情報に付随及び付加して広範な拡張サービスを提供する。要約、告発記事、ニュースなどがインターネット上で手に入り、ユーザによって閲覧可能である。これらのインターネットデータはユーザにとって継続的な関心対象である場合もあり、常に入手可能であるように意図されている。
【００１１】
図に示されているように、放送信号はメタデータとアセットを含んでいる。この場合の「アセット」という用語は、ビデオデータ及び／又はオーディオデータのような任意の種類のユーザデータ、例えばテレビ信号又はラジオ信号に対して採用された用語である。
【００１２】
メタデータは、電子番組ガイドＥＰＧのような付加的サービスに対する制御情報を含んでいる。さらに、本実施形態のメタデータはそれぞれテレテキスト又はビデオテキストを含んでいる。メタデータはメタデータに完全に埋め込まれた別の情報を有していてもよい。
【００１３】
さらに、これらのメタデータは放送信号内に完全に埋め込まれているので、メタデータは制御データとしてリンク情報を含んでいてもよい。この種の制御データは、インターネット、任意のイントラネット、内部若しくは外部メモリ装置、又は他のプロバイダの伝送チャネルのような外部データソースへの接続を確立するために使用される。
【００１４】
図に示されているように、メタデータはインターネットアドレス１〜Ｎを含んでいる。したがって、放送サービスからインターネットサービスへのリンクが存在する。インターネットアドレスは、それ自体他のウェブページへのリンクを含んだウェブページを指している。
【００１５】
メタデータはまた一般にヘッダで使用される制御情報又はフォーマット情報も含んでいる。この種の制御情報はパーソナルコンピュータなどのような表示装置を制御するために使用してもよい。
【００１６】
放送信号をＤＶＲ又はハードディスク上に記録する際、標準的なレコーダはすべての放送メタデータを含む放送信号を保存しているが、参照されるだけのメタデータは欠けている。したがって、後に記録物を再生する際、メタデータリンクに対するリクエストにより、欠落している付加的なメタデータのインターネットを介したローディングが生じる。このローディングは、遠隔リソースにおけるアップデート及び／又は変更のために失敗する場合もありうる。
【００１７】
上記のように、メタデータのインターネットアドレスによりアドレス指定されたインターネットデータは常に入手可能であるよう意図されている。したがって、本発明は、放送メタデータリンクにより参照されているメタデータをダウンロードし、格納することを提案する。これらデータへのリンクを格納するだけでなく、完全なデータを格納するので、これらのデータはインターネット又は各々のデータソースにおける変更に関係なくユーザが欲するときにはいつでも手に入れることができる。完全データの格納には、ローカルディスク上又は分散形記憶装置上のデータを指す記録されたメタデータ内のリンクを調整することも含まれる。
【００１８】
有利な実施形態によれば、インターネットメタデータの記録は、ユーザにより定義された選好に個別に適合させてもよい。このために、ユーザにより階層的格納の深さが定義されるようにしてもよい。すなわち、最初のインターネットコンテンツにより指示された別のインターネットコンテンツを、階層の深さに達するまで反復的に格納するようにしてもよい。
【００１９】
インターネットメタデータの記録を適合させる他の方策として、ウェブ内で変更があったときに、アップデートすべき又は保存すべきインターネットコンテンツを決定するようにしてもよい。さらに、記録プロセスの間、重複格納を防ぐために、インターネットコンテンツの複写を決定するようにしてもよい。さらに、メタデータを記録するために任意のフィルタを導入してもよい。
【００２０】
これらのメタデータが記録された後、格納された参照メタデータの視覚化及びナビゲーションが提供される。これは放送コンテンツとは独立して行うことができる。これらのメタデータ内でのサーフィンは、インターネットから独立して、すなわち、格納された階層深さに留まったままオフラインで可能である。格納深さを超えたときには、インターネットサービスに戻る、すなわち、オンラインに切り替わる。
【００２１】
ユーザは、リンクを更に付け加えること及び／又はインターネットからメタデータを更に格納することにより、格納されている付加的なメタデータを編集することができる。これは、ユーザにより定義されたコレクション、コメント、又はショートカットを作成することにより行ってもよい。また、編集には、写真、ビデオ、オーディオなどのような自らが生み出した情報（アセット）を更に付加することも含まれる。これに関して、リンクがアセットデータをメタデータに、メタデータをメタデータに、及び／又はアセットデータをアセットデータに結び付けるようにしてもよい。
【００２２】
さらに、ディジタルビデオレコーダ（ＤＶＲ）又はハードディスクに格納されているメタデータ内でのサーチのためのツールも提供される。いったん記憶媒体に格納されれば、すべてのデバイスでメタデータ内でのサーチが可能となる。というのも、リムーバブル記憶媒体はすべてのメタデータを保持しているからである。
【００２３】
以上を要約すると、本発明は、放送情報と並行してメタデータリンクコンテンツを付加的に格納することにより、インターネット利用可能性とは無関係に、すべてのメタデータにアクセスできるようにする。さらに、ユーザにより定義されたコレクション、コメント、及びショートカットに関する編集能力も提供される。
【図面の簡単な説明】
【００２４】
【図１】放送データの原理的なデータ構造を示す。
【図１】
2005510974.tif 000003
【手続補正書】
【提出日】平成15年9月26日(2003.9.26)
【手続補正１】
【補正対象書類名】特許請求の範囲
【補正対象項目名】請求項１
【補正方法】変更
【補正の内容】
【請求項１】
有利にはオーディオデータ及び／又はビデオデータであるユーザデータとデータソースを指すリンク情報を含んだ付加的情報とを含む放送データを処理するための装置であって、
前記放送データを放送ソースから受信し、補助データを前記データソースから受信するための手段と、
前記ユーザデータを記憶手段に格納するための手段とを有する形式の装置において、
前記格納するための手段が、前記補助データを前記ユーザデータとともに前記記憶手段に格納するようにしたことを特徴とする、放送データを処理するための装置。
【国際調査報告】
2005510974.tif 000004
2005510974.tif 000005